(57)【要約】【課題】  操作性に優れた再生装置を提供する。【解決手段】  再生装置１は、番組を再生する装置であって、ザッピングが開始されたことを検出する検出部１８と、ザッピングが開始されたことが検出されたとき、その開始チャンネルのボタンがマークされたメニューを画面に表示させる表示制御部１７とを備える。これによって、ザッピングが開始されたチャンネルがわかりやすく表示されるので、どのチャンネルからザッピングを開始したかわからなくなるという不具合は生じない。【選択図】  図３
2007019695.tif 000002
【特許請求の範囲】
【請求項１】
番組を再生する再生装置であって、
ザッピングが開始されたことを検出する検出手段と、
ザッピングが開始されたことが検出されたとき、その開始チャンネルのボタンがマークされたメニューを画面に表示させる表示制御手段と
を備えることを特徴とする再生装置。
【請求項２】
前記検出手段は、当該再生装置の電源がオンとなったとき、ザッピングが開始されたことを検出する
ことを特徴とする請求項１記載の再生装置。
【請求項３】
前記検出手段は、ザッピングによってチャンネルが一巡したことを検出し、
前記表示制御手段は、ザッピングによってチャンネルが一巡したことが検出されたとき、その旨を示すメッセージを画面に表示させる
ことを特徴とする請求項１記載の再生装置。
【請求項４】
前記検出手段は、特定のチャンネルがユーザによってマークされたことを検出し、
前記表示制御手段は、特定のチャンネルがユーザによってマークされたことが検出されたとき、その特定のチャンネルの番組映像の縮小画像を当該チャンネルのボタンに付す
ことを特徴とする請求項１記載の再生装置。
【請求項５】
前記検出手段は、前記特定のチャンネルをマークする必要がなくなったことを検出し、
前記表示制御手段は、前記特定のチャンネルをマークする必要がなくなったことが検出されたとき、前記縮小画像を当該チャンネルのボタンから消去する
ことを特徴とする請求項４記載の再生装置。
【請求項６】
前記検出手段は、前記特定のチャンネルの番組が終了したとき、または他の特定のチャンネルの番組が一定時間以上再生され続けたとき、前記特定のチャンネルをマークする必要がなくなったことを検出する
ことを特徴とする請求項５記載の再生装置。
【請求項７】
番組を再生する再生装置であって、
リモコンの操作内容を検出する検出手段と、
リモコンの方向キーが押されたことが検出されたとき、メニューを画面に出現させる、または画面からメニューを消滅させる表示制御手段と
を備えることを特徴とする再生装置。
【請求項８】
前記表示制御手段は、リモコンの右キーが押されたことが検出されたときは、メニューを画面の左端から右方向にスライドさせて出現させ、リモコンの左キーが押されたことが検出されたときは、メニューを画面の右端から左方向にスライドさせて出現させる
ことを特徴とする請求項７記載の再生装置。
【請求項９】
前記表示制御手段は、リモコンの右キーが押されたことが検出されたときは、メニューを右方向にスライドさせて画面から消滅させ、リモコンの左キーが押されたことが検出されたときは、メニューを左方向にスライドさせて画面から消滅させる
ことを特徴とする請求項７記載の再生装置。
【請求項１０】
当該再生装置によって受信される番組だけでなく、当該再生装置と接続された外部装置によって受信される番組をも再生する再生装置であって、
前記外部機器の起動が完了したことを検出する検出手段と、
前記外部機器の起動が完了したことが検出されたとき、その旨を示すメッセージを画面に表示させる表示制御手段と
を備えることを特徴とする再生装置。
【請求項１１】
前記表示制御手段は、前記外部機器の起動が完了したことが検出されていない間、前記外部機器によって受信される番組のチャンネルのボタンを無効化する
ことを特徴とする請求項１０記載の再生装置。
【請求項１２】
前記表示制御手段は、前記外部機器が番組を受信可能な状態になった時点、前記外部機器が番組を受信可能な状態になった後にユーザがチャンネルを切り替えた時点、または前記外部機器が番組を受信可能な状態になった後にその番組のチャンネルをユーザが初めて選択した時点において、前記外部機器の起動が完了した旨を示すメッセージを画面に表示させる
ことを特徴とする請求項１０記載の再生装置。
【請求項１３】
当該再生装置によって受信される番組だけでなく、当該再生装置と接続された外部装置によって受信される番組をも再生する再生装置であって、
前記外部機器が録画を開始したことを検出する検出手段と、
前記外部機器が録画を開始したことが検出されたとき、その旨を示すメッセージを画面に表示させる表示制御手段と
を備えることを特徴とする再生装置。
【請求項１４】
前記表示制御手段は、前記外部機器が録画を終了したことが検出されていない間、前記外部機器によって受信される番組のチャンネルのボタンを無効化する
ことを特徴とする請求項１３記載の再生装置。
【請求項１５】
前記表示制御手段は、前記外部機器が録画を開始した時点、前記外部機器が録画を開始した後にユーザがチャンネルを切り替えた時点、または前記外部機器が録画を開始した後にその番組のチャンネルをユーザが初めて選択した時点において、前記外部機器が録画を開始した旨を示すメッセージを画面に表示させる
ことを特徴とする請求項１３記載の再生装置。
【請求項１６】
番組を再生する再生装置の画面表示を制御する方法であって、
ザッピングが開始されたことを検出する検出ステップと、
ザッピングが開始されたことが検出されたとき、その開始チャンネルのボタンがマークされたメニューを画面に表示させる表示制御ステップと
を含むことを特徴とする画面表示制御方法。
【請求項１７】
番組を再生する再生装置の画面表示を制御する方法であって、
リモコンの操作内容を検出する検出ステップと、
リモコンの方向キーが押されたことが検出されたとき、メニューを画面に出現させる、または画面からメニューを消滅させる表示制御ステップと
を含むことを特徴とする画面表示制御方法。
【請求項１８】
当該再生装置によって受信される番組だけでなく、当該再生装置と接続された外部装置によって受信される番組をも再生する再生装置の画面表示を制御する方法であって、
前記外部機器の起動が完了したことを検出する検出ステップと、
前記外部機器の起動が完了したことが検出されたとき、その旨を示すメッセージを画面に表示させる表示制御ステップと
を含むことを特徴とする画面表示制御方法。
【請求項１９】
当該再生装置によって受信される番組だけでなく、当該再生装置と接続された外部装置によって受信される番組をも再生する再生装置の画面表示を制御する方法であって、
前記外部機器が録画を開始したことを検出する検出ステップと、
前記外部機器が録画を開始したことが検出されたとき、その旨を示すメッセージを画面に表示させる表示制御ステップと
を含むことを特徴とする画面表示制御方法。
【発明の詳細な説明】
【技術分野】
【０００１】
本発明は、番組を再生する再生装置に関する。
【背景技術】
【０００２】
近年、ユーザが再生可能な放送は、地上波放送、衛星放送、ケーブルテレビ放送、インターネット放送など多岐に亘ってきている。しかしながら、ユーザが所有するテレビなどの再生装置にこれら全ての放送に対応したチューナーが搭載されているとは限らない。すなわち、これらの放送は、複数の機器を組み合わせることによって再生されるのが通常である。
【０００３】
例えば、地上波チューナーを搭載したテレビの外部機器として、ＢＳチューナーを搭載したビデオデッキとＣＳチューナーを搭載したディスクレコーダーとを接続する。これによって、ＢＳ放送やＣＳ放送をビデオデッキやディスクレコーダーのチューナーで受信し、テレビの外部入力経由で再生することが可能となる。
【０００４】
このような再生形態において、テレビ側から複数の外部機器を制御する方法がある（例えば、特許文献１参照）。この制御方法よれば、テレビのリモコンを操作してＣＳ１チャンネルを選択すると、ＣＳチューナーを搭載したディスクレコーダーが選択・起動され、テレビの外部入力がディスクレコーダーに切り替わる。
【特許文献１】特許第３４８９２１２号公報
【発明の開示】
【発明が解決しようとする課題】
【０００５】
前記したように、近年、放送の再生形態が多様化している。特に、多チャンネル化・多機能化が進んだことによって、操作性の面で種々の問題が生じている。
【０００６】
本発明は、このような問題点に鑑みてなされたものであり、操作性に優れた再生装置を提供することを目的とする。
【課題を解決するための手段】
【０００７】
前記目的を達成するために、本発明における再生装置は、番組を再生する再生装置であって、ザッピングが開始されたことを検出する検出手段と、ザッピングが開始されたことが検出されたとき、その開始チャンネルのボタンがマークされたメニューを画面に表示させる表示制御手段とを備える。これによって、ザッピングが開始されたチャンネルがわかりやすく表示されるので、どのチャンネルからザッピングを開始したかわからなくなるという不具合は生じない。
【０００８】
ここで、前記検出手段は、当該再生装置の電源がオンとなったとき、ザッピングが開始されたことを検出してもよい。再生装置の電源をオンとした後はザッピングするのが通常であるため、これによって操作性を向上させることができる。
【０００９】
また、前記検出手段は、ザッピングによってチャンネルが一巡したことを検出し、前記表示制御手段は、ザッピングによってチャンネルが一巡したことが検出されたとき、その旨を示すメッセージを画面に表示させてもよい。これによって、ザッピング中にチャンネルが一巡した場合はその旨がユーザにわかりやすく通知されるため、同じチャンネルの番組を何度も見てしまうという問題を防止することができる。
【００１０】
また、前記検出手段は、特定のチャンネルがユーザによってマークされたことを検出し、前記表示制御手段は、特定のチャンネルがユーザによってマークされたことが検出されたとき、その特定のチャンネルの番組映像の縮小画像を当該チャンネルのボタンに付してもよい。これによって、ザッピング中に見つけた興味ある番組のチャンネルをマークすることができるので、その興味ある番組がザッピング中にわからなくなるという問題を解決することができる。
【００１１】
また、前記検出手段は、前記特定のチャンネルをマークする必要がなくなったことを検出し、前記表示制御手段は、前記特定のチャンネルをマークする必要がなくなったことが検出されたとき、前記縮小画像を当該チャンネルのボタンから消去してもよい。これによって、不要なマークが表示されたままの状態を回避することができる。
【００１２】
また、前記検出手段は、前記特定のチャンネルの番組が終了したとき、または他の特定のチャンネルの番組が一定時間以上再生され続けたとき、前記特定のチャンネルをマークする必要がなくなったことを検出してもよい。これによって、自動的に不要なマークが表示されないようになるので、操作性を向上させることができる。
【００１３】
本発明における再生装置は、番組を再生する再生装置であって、リモコンの操作内容を検出する検出手段と、リモコンの方向キーが押されたことが検出されたとき、メニューを画面に出現させる、または画面からメニューを消滅させる表示制御手段とを備える。これによって、リモコンの左右キーを押すという簡便な操作でメニューにたどり着くことができるので、リモコンに新たなキーを備える必要がない。
【００１４】
ここで、前記表示制御手段は、リモコンの右キーが押されたことが検出されたときは、メニューを画面の左端から右方向にスライドさせて出現させ、リモコンの左キーが押されたことが検出されたときは、メニューを画面の右端から左方向にスライドさせて出現させてもよい。これによって、直感的にメニューを表示させることができるので、メニューを表示させるための操作を覚える必要がない。
【００１５】
また、前記表示制御手段は、リモコンの右キーが押されたことが検出されたときは、メニューを右方向にスライドさせて画面から消滅させ、リモコンの左キーが押されたことが検出されたときは、メニューを左方向にスライドさせて画面から消滅させてもよい。これによって、直感的にメニューを非表示とすることができるので、メニューを非表示とするための操作を覚える必要がない。
【００１６】
本発明における再生装置は、当該再生装置によって受信される番組だけでなく、当該再生装置と接続された外部装置によって受信される番組をも再生する再生装置であって、前記外部機器の起動が完了したことを検出する検出手段と、前記外部機器の起動が完了したことが検出されたとき、その旨を示すメッセージを画面に表示させる表示制御手段とを備える。これによって、外部機器の起動が完了するとその旨がユーザに通知されるので、無駄なチャンネル切り替えをする必要がなくなる。
【００１７】
ここで、前記表示制御手段は、前記外部機器の起動が完了したことが検出されていない間、前記外部機器によって受信される番組のチャンネルのボタンを無効化してもよい。これによって、再生できない番組のチャンネルボタンが一目瞭然となるので、使い勝手をより向上させることができる。
【００１８】
また、前記表示制御手段は、前記外部機器が番組を受信可能な状態になった時点、前記外部機器が番組を受信可能な状態になった後にユーザがチャンネルを切り替えた時点、または前記外部機器が番組を受信可能な状態になった後にその番組のチャンネルをユーザが初めて選択した時点において、前記外部機器の起動が完了した旨を示すメッセージを画面に表示させてもよい。これによって、適切なタイミングで自動的にメッセージが表示されることになるので、使い勝手をより向上させることができる。
【００１９】
本発明における再生装置は、当該再生装置によって受信される番組だけでなく、当該再生装置と接続された外部装置によって受信される番組をも再生する再生装置であって、前記外部機器が録画を開始したことを検出する検出手段と、前記外部機器が録画を開始したことが検出されたとき、その旨を示すメッセージを画面に表示させる表示制御手段とを備える。これによって、外部機器が録画を開始するとその旨がユーザに通知されるので、無駄なチャンネル切り替えをする必要がなくなる。
【００２０】
ここで、前記表示制御手段は、前記外部機器が録画を終了したことが検出されていない間、前記外部機器によって受信される番組のチャンネルのボタンを無効化してもよい。これによって、再生できない番組のチャンネルボタンが一目瞭然となるので、使い勝手をより向上させることができる。
【００２１】
また、前記表示制御手段は、前記外部機器が録画を開始した時点、前記外部機器が録画を開始した後にユーザがチャンネルを切り替えた時点、または前記外部機器が録画を開始した後にその番組のチャンネルをユーザが初めて選択した時点において、前記外部機器が録画を開始した旨を示すメッセージを画面に表示させてもよい。これによって、適切なタイミングで自動的にメッセージが表示されることになるので、使い勝手をより向上させることができる。
【００２２】
なお、本発明は、このような再生装置として実現することができるだけでなく、このような再生装置の画面表示制御方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００２３】
以上の説明から明らかなように、本発明における再生装置によれば、リモコンの左右キーを押すという簡便な操作で最初のメニューにたどり着くことができるので、リモコンに新たなキーを備える必要がない。しかも、リモコンの右キーを押すとメニューが画面の左端から右方向にスライドして現れ、リモコンの左キーを押すと画面の左端へメニューがスライドして消滅するというように、直感的にメニューの表示／非表示を切り替えることができるので、メニューを表示させるための操作を覚える必要がない。さらに、ここでいうメニューには、再生装置で受信可能な番組のチャンネルボタンだけでなく、外部装置で受信可能な番組のチャンネルボタンも表示されるので、今後さらに多チャンネル化が進んでも、ハードウェア構成を変更することなく迅速に対応することができる。
【００２４】
また、本発明における再生装置によれば、ザッピング中にチャンネルが一巡した場合はその旨がユーザにわかりやすく通知されるため、同じチャンネルの番組を何度も見てしまうという問題を防止することができる。しかも、ザッピングが開始されたチャンネルを装置側で自動的に検出する構成を採用しているので操作性が低下することもない。
【００２５】
また、本発明における再生装置によれば、ザッピング中に見つけた興味ある番組のチャンネルをマークすることができるので、その興味ある番組がザッピング中にわからなくなるという問題を解決することができる。しかも、番組映像の縮小画像をマークとして採用しているので、複数のチャンネルをマークした場合でも個々のチャンネルの番組内容は一目瞭然である。
【００２６】
また、本発明における再生装置によれば、外部機器の起動が完了するとその旨がユーザに通知されるので、無駄なチャンネル切り替えをする必要がなくなる。すなわち、外部機器の起動が完了したかどうかを気にする必要がなくなるため、使い勝手が格段に向上する。
【００２７】
また、本発明における再生装置によれば、外部機器２が録画を終了するとその旨がユーザに通知されるので、無駄なチャンネル切り替えをする必要がなくなる。すなわち、外部機器が録画を終了したかどうかを気にする必要がなくなるため、使い勝手が格段に向上する。
【発明を実施するための最良の形態】
【００２８】
以下、本発明の実施の形態について図面を用いて詳細に説明する。
【００２９】
（実施の形態１）
図１は、本発明における再生装置１の使用環境を示す図である。ここでは、再生装置１として、地上波チューナーを搭載したテレビを例示し、その外部機器２として、ＢＳチューナーを搭載したビデオデッキとＣＳチューナーを搭載したディスクレコーダーとを例示している。
【００３０】
図２は、本発明における再生装置１のリモコン３の概略外観図である。このリモコン３は、電源キー３１と、番組（チャンネル）キー３２と、音量キー３３と、決定キー３４と、戻るキー３５と、上下左右の方向キー３６〜３９とを備えている。各キーを押すと、そのキーに対応した所定のコマンドが発行される。
【００３１】
図３は、本発明における再生装置１の構成図である。再生装置１は、番組を再生する装置であって、機能的には、制御部１１と、選局部１２と、映像入力部１３と、画面合成部１４と、メニュー生成部１５と、リモコン受信部１６と、表示制御部１７とを備えている。また、外部装置２は、再生装置１と接続された装置であって、機能的には、制御部２１と、選局部２２と、映像入力部２３とを備えている。
【００３２】
再生装置１の制御部１１と外部機器２の制御部２１とは、共通の通信プロトコルを用いて相互にコマンド通信を行う。すなわち、再生装置１の制御部１１と外部装置２の制御部２１とはコマンド通信線で接続されている。このコマンド通信線としては、ＲＳ２３２Ｃシリアルケーブル等を利用することができる。また、再生装置１の映像入力部１３と外部装置２の映像入力部２３とは映像入力線で接続されている。この映像入出力線としては、Ｄ端子ケーブル・Ｓ端子ケーブル・ＲＣＡケーブル・ＤＶＩケーブル等を利用することができる。
【００３３】
以下、再生装置１の構成について説明する。
【００３４】
リモコン受信部１６は、リモコン３によって発行されたコマンドを受信する。制御部１１は、リモコン受信部１６からのコマンドに応じて再生装置１内の各部１２〜１６を制御する。メニュー生成部１５は、制御部１１からの命令に応じて、図示しない画面に表示するためのメニュー（以下、「メニュー画面」または単に「メニュー」という）を生成する。選局部１２は、制御部１１から命令されたチャンネルの番組を受信するチューナー等である。映像入力部１３は、選局部１２からの番組映像あるいは外部機器２の映像入力部２３からの番組映像を画面合成部１４に入力する。画面合成部１４は、メニュー生成部１５からのメニュー画面と入力映像部２３からの番組映像とを合成する。表示制御部１７は、画面合成部１４からの合成信号を図示しない画面に表示するための制御を行う。
【００３５】
制御部１１は、検出部１８と通知部１９とマーク記憶部２０とを具備している。検出部１８は、リモコン３や外部機器２の制御部２１からのコマンド等に基づいて、画面表示を制御するために必要となる各種事象を検出する。通知部１９は、検出部１８の検出結果をメニュー生成部１５に通知する。マーク記憶部２０は、各種情報を記憶するＲＡＭ等である。
【００３６】
次に、外部機器２の構成について説明する。
【００３７】
制御部２１は、選局部２２と映像入力部２３とを制御する。選局部２２は、制御部２１から命令されたチャンネルの番組を受信するチューナー等である。映像入力部２３は、選局部２２からの番組映像を再生装置１の映像入力部１３に入力する。
【００３８】
なお、ここでは映像信号の流れについて説明したが、音声信号も同様の流れで図示しないスピーカ等の音声再生部に出力することができる。
【００３９】
また、ここでは再生装置１と外部機器２とが２本の線（１本のコマンド通信線と１本の映像入力線）で接続されていることを想定して説明したが、機器間の接続形態は特に限定されるものではない。例えば、ＨＤＭＩ(High-Definition Multimedia Interface)やＣＥＣ(Consumer Electronics Control)を利用すれば、機器間の接続線は外見上１本となる。あるいは、機器間のインタフェースを統一することによって、機器間を１本の線で接続してもよい。例えば、イーサーネットケーブルやＩＥＥＥ１３９４によって接続すれば、映像信号と制御信号とを１本のケーブルで伝送することが可能である。
【００４０】
以上説明した構成を採用することによって、操作性に優れた再生装置１を提供することが可能となる。以下、従来の問題点を挙げながら、本発明における再生装置１の構成をさらに詳しく説明する。
【００４１】
（メニューの表示）
従来、再生装置の画面にメニューを表示することによって、ユーザの操作負担を軽減する手法がある。しかしながら、多チャンネル化・多機能化が進んだことによって、リモコンに配置されるキー（ボタン）の数が増えたため、最初のメニューにたどり着くためのキーがどれなのかを覚えるのが難しいという問題が生じている。以下、この問題を解決するために本発明が採用している構成を図面に従って説明する。
【００４２】
図４は、本発明における再生装置１の画面表示例を示す図である。既に説明したように、画面４の表示状態は表示制御部１７によって制御され、リモコン３の操作内容は検出部１８によって検出される。また、画面４に表示されるメニュー４１は、メニュー生成部１５によって生成されたメニューであり、画面４に表示される映像４２は、再生装置１の選局部１２や外部機器２の選局部２２によって受信されたテレビ番組などの映像である。
【００４３】
再生装置１の電源を入れた直後は、画面４には番組映像４２のみが表示され、メニューは表示されていない。ここで、ユーザがリモコン３の右キー３９を押すと、図４（Ａ）に示すように画面４の左端からガイドメニュー４１が右方向にスライドして現れて、図４（Ｂ）に示すように所定の位置に配置される。このとき、最初から表示されていた番組映像４２は、ガイドメニュー４１に上書きされて一部が見えなくなっている状態でもよいし、ガイドメニュー４１に上書きされる分だけ横幅が圧縮されて全部が見えている状態でもよい。
【００４４】
番組映像４２を上書きする方がよいか圧縮する方がよいかということは、例えば時間帯によって判断することができる。すなわち、朝などは、番組映像４２の左上付近あるいは左下付近に時刻が表示される場合がある。この場合、時刻が表示される時間帯は、番組映像４２を横方向に圧縮することによって、時刻確認が可能な状態を維持するのが好ましい。他方、時刻が表示されない時間帯は、番組映像４２がガイドメニュー４１で上書きされてもよいので、番組映像４２を歪み無く表示するのが好ましい。
【００４５】
このように時間帯で判断するのではなく、番組映像４２の内容によって判断することも可能である。すなわち、番組映像４２の内容を分析し、時刻が表示されていることを検出した場合は番組映像４２を横方向に圧縮する。他方、時刻が表示されていることを検出しなかった場合は番組映像４２をガイドメニュー４１で上書きする。
【００４６】
画面４の縦横比がいわゆる１６：９サイズの場合は、以下の手法を採用してもよい。すなわち、１６：９サイズの画面４に１６：９サイズの番組映像４２が表示されている状態でガイドメニュー４１を表示する場合は、番組映像４２を横方向に圧縮する。他方、１６：９サイズの画面４に４：３サイズの番組映像４２が表示されている状態でガイドメニュー４１を表示する場合は、番組映像４２を圧縮せず、画面４の左右の非表示部（いわゆる黒帯部）の分だけ番組映像４２を横方向に移動させる。
【００４７】
ガイドメニュー４１には、図４（Ｂ）に示すように、複数のメニューボタン４３が配置されている。ユーザは、リモコン３の上キー３６あるいは下キー３７を押すことによって、所望のメニューボタン４３を選択する。メニューボタン４３を選択した状態でリモコン３の決定キー３４を押すと、そのメニューボタン４３に対応する処理が実行される。リモコン３の左キー３８を押すと、ガイドメニュー４１が画面４の左端へスライドして消滅する。
【００４８】
逆に、画面４にメニューが表示されていない状態でリモコン３の左キー３８を押すと、図４（Ｃ）に示すように画面４の右端からチャンネルメニュー４４が左方向にスライドして現れて、図４（Ｄ）に示すように所定の位置に配置される。チャンネルメニュー４４には、チャンネル番号や放送局名などが表示された複数のチャンネルボタン４５が配置されている。ユーザは、リモコン３の上キー３６あるいは下キー３７を押すことによって、所望のチャンネルボタン４５を選択する。ここでは一部のチャンネルボタン４５しか表示されていない状態を示しているが、リモコン３の上キー３６あるいは下キー３７を押すことによって、チャンネルボタン４５を上下いずれかの方向へスライドさせることができる。所望のチャンネルボタン４５を選択した状態でリモコン３の決定キー３４を押すと、そのチャンネルの番組映像４２が画面４に表示される。
【００４９】
チャンネルメニュー４４には、再生装置１の選局部１２で受信可能な番組のチャンネルだけでなく、外部機器２の選局部２２で受信可能な番組のチャンネルも表示することができる。この機能は、再生装置１に外部機器２を接続する際、必要な情報をユーザが再生装置１に設定することによって実現される。再生装置１と外部機器２との間で適当な通信プロトコルが用意されている場合は、両機器を接続するだけで自動的にセットアップすることも可能である。
【００５０】
図５は、本発明におけるチャンネルボタンの表示方法の一例を示す図である。チャンネルボタン５１は、再生可能な状態のチャンネルであり、太線で描かれているチャンネルボタン５２は、現在再生中のチャンネルであり、グレーアウトされているチャンネルボタン５３は、再生不可能な状態のチャンネルであると仮定する。
【００５１】
この図５に示すように、外部機器２の選局部２２で受信可能な番組のチャンネルは、外部入力として１つのチャンネルボタンで表示されるのではなく、個別のチャンネルボタンとして表示される。例えば、外部機器２の選局部２２で受信可能な番組のチャンネルが５つある場合は、「ＢＳ１」「ＢＳ２」「ＢＳ３」「ＢＳ４」「ＢＳ５」のように、５つのチャンネルボタンが個別に表示される。
【００５２】
これらチャンネルボタンのうちのいずれかが選択されると、再生装置１は、該当する外部機器２に外部入力を切り替え、その外部機器２に対して、選択されたチャンネルに切り替えるためのコマンドを発行する。これによって、あたかも再生装置１で受信している番組であるかのように外部機器２の選局部２２で受信している番組を再生することが可能となり、使い勝手が格段に向上する。
【００５３】
これに加えて、外部機器２の出力画面（メニュー画面や再生画面など）を表示するためのチャンネルボタンをチャンネルメニュー５０に設けてもよい。このチャンネルボタンが選択されると、再生装置１は、該当する外部機器２に外部入力を切り替え、その外部機器２に対して、メニュー画面や再生画面を表示させるためのコマンドを発行する。再生画面とは、外部機器２がディスクレコーダーである場合は、挿入されているＤＶＤ内のコンテンツあるいは内蔵されているハードディスク内のコンテンツの再生画面をいう。メニュー画面とは、これらコンテンツのリストを示すメニューをいう。
【００５４】
このように外部機器２に対してコマンドを発行する場合も、再生装置１のリモコン３を操作するだけでよい。すなわち、リモコン３によって発行されたコマンドは、再生装置１のリモコン受信部１６に一旦受信された後、制御部１１によって外部機器２に適した形式に変換されたうえで外部機器２に送られる。これによって、あたかも再生装置１を操作しているかのように外部機器２を操作することが可能となり、使い勝手が格段に向上する。特に、外部機器２が複数台ある場合は機器ごとにリモコンを持ち替える必要が無くなるため、その効果が顕著に表れる。
【００５５】
以上のように、本発明における再生装置によれば、リモコンの左右キーを押すという簡便な操作で最初のメニューにたどり着くことができるので、リモコンに新たなキーを備える必要がない。しかも、リモコンの右キーを押すとメニューが画面の左端から右方向にスライドして現れ、リモコンの左キーを押すと画面の左端へメニューがスライドして消滅するというように、直感的にメニューの表示／非表示を切り替えることができるので、メニューを表示させるための操作を覚える必要がない。さらに、ここでいうメニューには、再生装置で受信可能な番組のチャンネルボタンだけでなく、外部装置で受信可能な番組のチャンネルボタンも表示されるので、今後さらに多チャンネル化が進んでも、ハードウェア構成を変更することなく迅速に対応することができる。
【００５６】
（ザッピング開始チャンネルをマーク）
近年、多チャンネル化が進んだことによって、興味ある番組を探すためにチャンネルを頻繁に切り替える必要が生じている。このようなザッピング中にいつチャンネルを一巡したかわからなくなる場合があり、その場合は同じチャンネルの番組を何度も見てしまうという問題がある。以下、この問題を解決するために本発明が採用している構成を図面に従って説明する。
【００５７】
本発明では、ザッピングが開始されたチャンネル（以下「開始チャンネル」という場合がある）をマークするという手法を採用している。すなわち、再生装置１の検出部１８は、ザッピングが開始されたことを検出すると（後述する）、その開始チャンネルを示す情報をマーク記憶部２０に記憶する。再生装置１の画面合成手段１５は、マーク記憶部２０を参照することによって開始チャンネルを特定し、特定した開始チャンネルのボタンがマークされたメニューを生成して表示制御部１７に渡す。再生装置１の制御部１１は、すべてのチャンネルが一巡したことを検出すると、その旨を音あるいは画面上のメッセージによってユーザに通知する。
【００５８】
ザッピングが開始されたことを検出する手法としては以下の手法を採用することができる。すなわち、再生装置１の電源がＯＮとなったとき、ザッピングが開始されたと判断する。そして、ユーザがチャンネルを切り替えても、そのチャンネルの番組が一定時間以上再生され続けなければザッピング中であると判断する。他方、あるチャンネルの番組が一定時間以上再生され続けた場合はザッピングが終了したと判断し、その再生中のチャンネルが新たな開始チャンネルであることを示す情報をマーク記憶部２０に記憶する。
【００５９】
図６は、本発明におけるチャンネルマーク機能の概要を示す図である。ここでいうチャンネルメニュー１１０は、図４におけるチャンネルメニュー４４に相当する。すなわち、チャンネルメニュー１１０を表示した状態でリモコン３の上下キーを押すとチャンネルボタンが切り替わり、それに応じて画面に表示される番組映像も切り替わる。
【００６０】
現在、チャンネル６の番組が再生されていると仮定する。この場合は、図６（Ａ）に示すように、チャンネル６からザッピングが開始されたとみなしてチャンネル６のボタン１１１をマークすることになる。ここでは、チャンネルボタン１１１が枠囲みされている状態を例示しているが、マークの形態はこれに限定されるものではない。すなわち、色や形状を変更したり図形を付加したりすることによって、他のチャンネルボタンと識別可能な形態になっていればよい。
【００６１】
ユーザがチャンネル６からチャンネル８に切り替えても、図６（Ｂ）に示すように、チャンネル６のボタン１１２はマークされたままである。すなわち、ザッピングが終了したと判断されるまで、このマークは消去されない。ザッピングが終了したと判断されないままチャンネルが一巡して再び図６（Ａ）に示す状態になると、前述したように、チャンネルが一巡したこと示すメッセージ等がユーザに通知される。
【００６２】
以上のように、本発明における再生装置によれば、ザッピング中にチャンネルが一巡した場合はその旨がユーザにわかりやすく通知されるため、同じチャンネルの番組を何度も見てしまうという問題を防止することができる。しかも、ザッピングが開始されたチャンネルを装置側で自動的に検出する構成を採用しているので操作性が低下することもない。
【００６３】
（チャンネルマーク機能）
前記の説明では、チャンネルが自動的にマークされることとしているが、本発明はこれに限定されるものではない。すなわち、以下に説明するように、マークされるチャンネルをユーザが明示的に指定することも可能である。
【００６４】
すなわち、ザッピング中に興味ある番組を見つけても、他に興味ある番組がないかザッピングを継続する場合は、先に見つけた興味ある番組のチャンネルをユーザの判断でマークしておく。このマークの形態としては、図６（Ｂ）に示したように、チャンネルボタンが枠囲みされる形態を採用することができる。ただし、複数のチャンネルをマークする場合は、チャンネルボタンが枠囲みされるだけでは不都合が生じる可能性がある。
【００６５】
すなわち、チャンネルを一巡して再びマークしておいたチャンネルに戻ったとき、そのチャンネルの番組がＣＭ中であったり、別のシーンに変わっていたりする場合がある。この場合は、マークしておいたチャンネルの番組であるということはわかっても、その番組の内容まではわからない。従って、しばらくそのまま再生するかザッピングを継続することになるが、これではチャンネルをマークしておいた意味がない。多チャンネル化が進むほど、マークしておきたいチャンネルの数が増え、またマークしておいたチャンネルの番組内容を覚えることが困難となるため、この問題は今後顕著となることが予想される。
【００６６】
以下、本発明が採用している構成を図面に従って説明する。
【００６７】
図７は、本発明におけるチャンネルマーク機能の概要を示す図である。ここでいうチャンネルメニュー９０も、図４におけるチャンネルメニュー４４に相当する。すなわち、チャンネルメニュー９０を表示した状態でリモコン３の上下キーを押すとチャンネルボタンが切り替わり、それに応じて画面に表示される番組映像も切り替わる。
【００６８】
図７（Ａ）に示すように、チャンネル８が選択されている状態でユーザがリモコン３の決定キー３４を押すと、再生装置１の検出部１８は、チャンネル８がユーザによってマークされたことを示す情報をマーク記憶部２０に記憶する。また、再生装置１の画面合成手段１５は、決定キー３４が押された際の番組映像９１を縮小し、その縮小画像をチャンネル８のボタン上に配置する。これによって、チャンネル８のボタンには、図７（Ｂ）に示すように、番組映像９１の縮小画像９３が「Ｃｈ８」の文字に代えて表示される。このとき、ＥＰＧから番組名等の情報を抽出し、抽出した情報を縮小画像９３とともに又は縮小画像９３に代えてボタンに表示してもよい。
【００６９】
縮小画像９３は、マーク記憶部２０に記憶され、所定時間（５分間など）が経過すると消去される。縮小画像９３がマーク記憶部２０から消去されると、チャンネル８のボタン表記は通常のチャンネル表記「Ｃｈ８」に戻る。
【００７０】
なお、ここでは、所定時間（５分間など）が経過すると縮小画像９３を消去することとしているが、本発明はこれに限定されるものではない。例えば、ユーザが他のチャンネルの番組を一定時間連続して再生した時、あるいは、マークしたチャンネルの番組が終了した時、縮小画像９３を消去するようにしてもよい。マークしたチャンネルの番組が終了したことは、検出部１８がＥＰＧ（電子番組表）を参照することによって検出することができる。
【００７１】
以上のように、本発明における再生装置によれば、ザッピング中に見つけた興味ある番組のチャンネルをマークすることができるので、その興味ある番組がザッピング中にわからなくなるという問題を解決することができる。しかも、番組映像の縮小画像をマークとして採用しているので、複数のチャンネルをマークした場合でも個々のチャンネルの番組内容は一目瞭然である。
【００７２】
（外部機器の起動完了）
ところで、外部機器２によっては起動に時間がかかるものがある。起動が完了するまでは、その外部機器２で受信可能な番組を再生することができないので、この待ち時間を利用して、再生可能な番組についてザッピングをする場合がある。しかしながら、この場合は、外部機器２の起動が完了したことを確認するために、何度も所望のチャンネルに切り替えて画面の内容を確認しなければならない。以下、この問題を解決するために本発明が採用している構成を図面に従って説明する。
【００７３】
図８は、本発明における再生装置１と外部機器２との通信処理を示す図である。
【００７４】
再生装置１の検出部１８は、外部機器２の制御部２１と共通のプロトコルを用いて相互にコマンド通信を行う。ここでは、再生装置１の選局部１２は地上波チューナーであり、外部機器２の選局部２２はＢＳチューナーであると仮定し、便宜的に地上波チャンネルをＣｈ１〜Ｃｈ１２、ＢＳチャンネルをＢＳ１〜ＢＳ１５として説明する。
【００７５】
再生装置１と外部機器２は共に電源オフの状態であると仮定する。この状態でユーザが再生装置１の電源をオンにすると、再生装置１の検出部１８は、ＢＳチャンネルが受信可能な状態になっているかどうかを問い合わせるコマンドを外部機器２に発行する（ステップ６１）。
【００７６】
再生装置１の検出部１８は、外部機器２からの応答を待ち（ステップ６２）、応答があった場合はその内容を保持する。他方、所定時間が経過しても応答がない場合は、ＢＳチャンネルの受信が不可能な状態にあることを示す情報を保持する。外部機器２の電源がオフになっている場合は、外部機器２から応答が返ってこないことになる。
【００７７】
ここで、ユーザがリモコン３を操作することによってチャンネルメニューを表示しようとすると、ＢＳチャンネルＢＳ１〜ＢＳ１５は受信不可能な状態であるため、これらＢＳチャンネルのボタンは、図５に示すチャンネルボタン５３のように、グレーアウトされて表示される（ステップ６３）。
【００７８】
次に、外部機器２が再生装置１によって起動される処理を説明する。
【００７９】
図５に示すチャンネルメニュー５０において地上波チャンネルが選択されている間、再生装置１の画面には、地上波チューナーで受信可能な番組映像が表示される。ここで、グレーアウトされたＢＳチャンネルのボタンが選択されると、再生装置１の画面には「外部機器を起動しています」等のメッセージが表示される。これによって、ユーザは、外部機器２の起動が完了するのを待つ間、地上波チャンネルについてザッピングを楽しむことができる。
【００８０】
このようにメッセージを表示する処理と並行して、再生装置１は、ＢＳチューナーを備えた外部機器２に対して起動コマンドを発行する（ステップ６１）。そして、外部機器２から起動完了コマンドが返ってくるのを待つ（ステップ６２）。
【００８１】
外部機器２は、再生装置１から起動コマンドを受信すると、システムの起動を開始する（ステップ７１）。そして、ＢＳチューナーの起動が完了したかどうかをチェックし（ステップ７２）、起動が完了したことを確認することができたら、再生装置１に起動完了コマンドを発行する（ステップ７３）。
【００８２】
再生装置１の検出部１８は、外部機器２から起動完了コマンドを受信すると、保持している情報を書き換える。これによって、ＢＳチャンネルの受信が可能な状態にあることを示す情報を保持することになる。
【００８３】
図９は、ＢＳチャンネルの再生が可能になったことを通知するための画面例を示す図である。すなわち、再生装置１の通知部１９は、外部機器２から起動完了コマンドを受信すると、その旨を画面合成部１４に通知する。これによって、図９に示すように、「ＢＳ１〜ＢＳ１５が有効になりました」等のメッセージ８０が画面に表示される。これによって、ユーザは、地上波チャンネルについてザッピングすることをやめて所望のＢＳチャンネルに切り替えることができる。
【００８４】
なお、メッセージ８０を表示するタイミングは、ＢＳチャンネルが有効になった時点でもよいし、ＢＳチャンネルが有効になった後にユーザがチャンネルを切り替えた時点でもよいし、ＢＳチャンネルが有効になった後にユーザが初めてＢＳチャンネルを選択した時点でもよい。このようにすれば、ユーザが地上波チャンネルの番組再生を楽しんでいる間はメッセージ８０が表示されないので、ユーザの邪魔をせずに済む。
【００８５】
また、メッセージ８０を表示する際、図９に示すように、「ＢＳチャンネルにジャンプ(決定キー)」等のメッセージが付されたボタン８１と、「このメッセージを消す（戻るキー）」等のメッセージが付されたボタン８２とを表示してもよい。一方のメッセージボタン８１は、ユーザが最初に所望していたＢＳチャンネルに切り替えるためのボタンである。このようなボタン８１によれば、ザッピングしても興味ある番組が見つからなかった場合は、最初に所望していたＢＳチャンネルに簡単に切り替えることができる。他方のメッセージボタン８２は、画面に表示されているメッセージ８０を消去するためのボタンである。このようなボタン８２によれば、ザッピング中に見つけた地上波チャンネルの番組再生を楽しんでいる場合は、邪魔になるメッセージ８０を即座に消去することができる。
【００８６】
また、前記の説明では、外部機器２から起動完了コマンドを受信したことによって、外部機器２の起動が完了したことを検出するようにしているが、外部機器２の起動が完了したことを検出する手法はこれに限定されるものではない。すなわち、外部機器２の映像入力部２３から入力される番組映像を再生装置１の検出部１８が監視するようにしてもよい。このようにすれば、いわゆるブルーバックの状態あるいは信号がない状態から通常の放送画面へ切り替わったことを検出した時、外部機器２の起動が完了したとみなすことができる。同様に、通常の放送画面からブルーバックや信号がない状態に切り替わったことを検出した時、外部機器２の電源がオフになったとみなして、その旨をユーザに通知することも可能である。
【００８７】
以上のように、本発明における再生装置１によれば、外部機器２の起動が完了するとその旨がユーザに通知されるので、無駄なチャンネル切り替えをする必要がなくなる。すなわち、外部機器２の起動が完了したかどうかを気にする必要がなくなるため、使い勝手が格段に向上する。
【００８８】
（外部機器における録画）
外部機器２が予約録画機能を備えている場合、予約されていた録画が開始されてから終了するまでの間、外部機器２のチューナーは録画中のチャンネルに固定される。このため、外部機器２がチューナーを１つしか搭載していない場合は、再生装置１側から外部機器２側のチャンネル切り替えができなくなる。それにもかかわらず、従来のチャンネルメニューには、外部機器２が録画を開始したことによって再生することができなくなったチャンネルのボタンも通常の状態で表示される。このチャンネルの番組を再生したい場合は、録画が終了したことを確認するために、何度も当該チャンネルに切り替えて画面の内容を確認しなければならない。以下、この問題を解決するために本発明が採用している構成を図面に従って説明する。
【００８９】
図１０は、本発明におけるチャンネル無効化の通知画面例を示す図である。図１１は、本発明におけるチャンネル有効化の通知画面例を示す図である。図１２は、本発明における再生装置１と外部機器２との通信処理を示す図である。ここでは、ＢＳチャンネル「ＢＳ１１」の番組が予約録画されている場面を想定して説明する。
【００９０】
まず、外部機器２がチューナーを１つしか搭載していないディスクレコーダーである場合、「ＢＳ１１」の番組を録画している間は、その他のＢＳチャンネルに切り替えることが不可能となる。従って、この間は再生装置１で再生可能なチャンネル数が限定されることになる。
【００９１】
そこで、外部機器２は、録画開始時刻あるいはその前後の所定時刻になると、「ＢＳ１１」を除くＢＳチャンネルを無効化する旨のコマンド（以下「チャンネル無効化コマンド」という）を再生装置１に発行する（ステップ１２０）。そして、録画開始時刻になると、「ＢＳ１１」にチャンネルを設定して録画を開始する（ステップ１２１→ステップ１２２）。
【００９２】
再生装置１の検出部１８は、チャンネル無効化コマンドを受信すると、画面１００にチャンネルメニュー１０３が表示されているかどうかを確認する（ステップ１３０）。チャンネルメニュー１０３が表示されていないことが確認された場合はステップ１３２に進む。他方、チャンネルメニュー１０３が表示されていることが確認された場合は、図１０に示すように、チャンネルボタン「１０」「１２」「ＢＳ１」のうち、再生できなくなったチャンネルのボタン「ＢＳ１」がグレーアウトされるなど無効化されて表示される（ステップ１３１）。もっとも、ＢＳチャンネルのうち録画中のチャンネル「ＢＳ１１」だけはグレーアウトされず、再生可能であることを示す状態で表示される。
【００９３】
また、再生装置１の画面１００には、図１０に示すように、「予約録画開始。次のチャンネルは再生できません」等のメッセージ１０１が表示される（ステップ１３２）。このメッセージ１０１を表示するタイミングは、チャンネル無効化コマンドを受信した直後でもよいし、チャンネル無効化コマンドを受信した後にユーザが初めてチャンネルを切り替えた時点でもよいし、チャンネル無効化コマンドを受信した後にユーザが再生不可能になったチャンネルを選択した時点でもよい。
【００９４】
あるいは、チャンネル切り替え操作を記録しておき、その頻度の履歴に基づいて、ザッピング中か否かを検出するようにしてもよい。この場合、ザッピング中であることが検出されたときは、すぐにメッセージ１０１を表示する。他方、ザッピング中でないことが検出されたときは、ユーザの再生を邪魔しないようにするために、次にチャンネルが変更されたタイミング等でメッセージ１０１を表示する。
【００９５】
画面１００には、図１０に示すように、メッセージ１０１を消去するためのボタン１０２が表示される。このボタン１０２の機能は、前記したボタン８２の機能と同様であるため、ここでは詳しい説明を省略する。
【００９６】
さて、外部機器２は、予約されていた番組の録画が終了すると（ステップ１２３）、無効化されていたＢＳチャンネルを有効化する旨のコマンド（以下「チャンネル有効化コマンド」という）、あるいは録画終了を示すコマンドを再生装置１に発行する（ステップ１２４）。
【００９７】
再生装置１の検出部１８は、チャンネル有効化コマンドを受信すると、画面１００にチャンネルメニュー１０３が表示されているかどうかを確認する（ステップ１４０）。チャンネルメニュー１０３が表示されていないことが確認された場合はステップ１４２に進む。他方、チャンネルメニュー１０３が表示されていることが確認された場合は、図１１に示すように、チャンネルボタン「１０」「１２」「ＢＳ１」のうち、再生が可能となったチャンネルのボタン「ＢＳ１」を有効化する（ステップ１４１）。ここでいうボタンの有効化とは、ボタンの表示状態を通常の表示状態に戻すことを意味する。
【００９８】
また、再生装置１の画面１００には、図１１に示すように、「予約録画終了。次のチャンネルが再生可能になりました」等のメッセージ１０４が表示される（ステップ１４２）。このメッセージ１０４を表示するタイミングは、チャンネル有効化コマンドを受信した直後でもよいし、チャンネル有効化コマンドを受信した後にユーザが初めてチャンネルを切り替えた時点でもよいし、チャンネル有効化コマンドを受信した後にユーザが再生可能になったチャンネルを選択した時点でもよい。
【００９９】
あるいは、チャンネル切り替え操作を記録しておき、その頻度の履歴に基づいて、ザッピング中か否かを検出するようにしてもよい。この場合、ザッピング中であることが検出された場合は、すぐにメッセージ１０４を表示する。他方、ザッピング中でないことが検出された場合は、ユーザの再生を邪魔しないようにするために、次にチャンネルが変更されたタイミング等でメッセージ１０４を表示する。
【０１００】
画面１００には、図１１に示すように、メッセージ１０４を消去するためのボタン１０２が表示される。このボタン１０２の機能は、前記したボタン８２の機能と同様であるため、ここでは詳しい説明を省略する。
【０１０１】
以上のように、本発明における再生装置によれば、外部機器が録画を終了するとその旨がユーザに通知されるので、無駄なチャンネル切り替えをする必要がなくなる。すなわち、外部機器が録画を終了したかどうかを気にする必要がなくなるため、使い勝手が格段に向上する。
【０１０２】
なお、ここでは、外部装置２が録画をする場面を例示して説明したが、外部機器２の電源がオンまたはオフされた場合、外部機器２から再生装置１に電源オンまたは電源オフを通知するコマンドを発行するようにしてもよい。このようにすれば、外部機器２の電源がオフになっていることが原因で再生できない番組がある場合も、その旨をユーザに通知することができる。外部機器２の電源がオンとなったときは、番組の再生が可能となったことが通知されるのはいうまでもない。
【０１０３】
また、前記の説明では、再生装置１と外部機器２とが双方向に通信できることとしているが、本発明はこれに限定されるものではない。例えば、いわゆるＩＲブラスターを利用する構成など、再生装置１から外部機器２への片方向通信のみ可能な構成に本発明を適用するようにしてもよい。この場合、外部機器２から再生装置１へはコマンドを発行することができないが、再生装置１が外部入力の入力信号をチェックするようにすれば、外部機器２の起動・終了を検出することが可能である。また、外部機器２の正面に設けられた表示部（いわゆるフロントパネル）の表示内容を読み取る手段を再生装置１に備えてもよい。すなわち、外部機器２のフロントパネル部を撮影し、その画像を解析してフロントパネルに表示されている内容を解釈する。このようにしても、外部機器２の動作状態を再生装置１側で把握することができるので、再生装置１と外部機器２とが双方向に通信できる構成と同様の効果を得ることができる。
【０１０４】
また、再生装置１の画面に表示するメッセージやボタンの内容は特に限定されるものではない。例えば、外部装置２の起動が完了すると、図９に示したように、画面にはメッセージ８０が表示される。このメッセージ８０とともにＢＳ１〜ＢＳ１５のチャンネルボタンが表示されるようにしてもよい。このようにすれば、これらチャンネルボタンＢＳ１〜ＢＳ１５を選択することによって、即座にＢＳチャンネルの番組を再生することが可能となる。
【産業上の利用可能性】
【０１０５】
本発明における再生装置は、操作性を向上させることが必要なテレビ、光ディスクレコーダー、光ディスクプレーヤー、オーディオ機器、パソコンなど、リモコンやキーボード等を用いてユーザにメニューを選択させる機器に対して適用することができる。
【図面の簡単な説明】
【０１０６】
【図１】本発明における再生装置の使用環境を示す図である。
【図２】本発明における再生装置のリモコンの概略外観図である。
【図３】本発明における再生装置の構成図である。
【図４】本発明における再生装置の画面表示例を示す図である。
【図５】本発明におけるチャンネルボタンの表示方法の一例を示す図である。
【図６】本発明におけるチャンネルマーク機能の概要を示す図である。
【図７】本発明におけるチャンネルマーク機能の概要を示す図である。
【図８】本発明における再生装置と外部機器との通信処理を示す図である。
【図９】本発明における再生装置の画面例を示す図である。
【図１０】本発明におけるチャンネル無効化の通知画面例を示す図である。
【図１１】本発明におけるチャンネル有効化の通知画面例を示す図である。
【図１２】本発明における再生装置と外部機器との通信処理を示す図である。
【符号の説明】
【０１０７】
１  再生装置
２  外部機器
３  リモコン
１１  制御部
１２  選局部
１３  映像入力部
１４  画面合成部
１５  メニュー生成部
１６  リモコン受信部
１７  表示制御部
１８  検出部
１９  通知部
２０  マーク記憶部
２１  制御部
２２  選局部
２３  映像入力部
【図１】
2007019695.tif 000003
【図２】
2007019695.tif 000004
【図３】
2007019695.tif 000005
【図４】
2007019695.tif 000006
【図５】
2007019695.tif 000007
【図６】
2007019695.tif 000008
【図７】
2007019695.tif 000009
【図８】
2007019695.tif 000010
【図９】
2007019695.tif 000011
【図１０】
2007019695.tif 000012
【図１１】
2007019695.tif 000013
【図１２】
2007019695.tif 000014